(57)【要約】【課題】より周囲の環境に配慮してユーザに所定の情報を報知することができる携帯端末装置を提供する。【解決手段】選択部５は、単なる周囲の音ではなく、人の声と背景の音量に基づいて、報知部３ａ，３ｂの何れに所定の情報を報知させるかを選択する。これにより、より周囲の環境に配慮してユーザに所定の情報を報知することができる。【選択図】  図１
2010124365.tif 000002
【特許請求の範囲】
【請求項１】
周囲の音を検出するマイク部と、
ユーザに所定の情報をそれぞれ異なる方法で報知する複数の報知部と、
前記マイク部により検出された音から、人の声の音量と背景の音の音量を検出する検出部と、
所定の信号が入力されると、前記検出部により検出された前記人の声の音量と前記背景の音の音量とに基づいて、複数の前記報知部の中から前記所定の情報を報知する報知部を選択する選択部と
を備えたことを特徴とする携帯端末装置。
【請求項２】
前記検出部は、さらに、前記背景の音のパターンを検出し、
前記選択部は、前記人の声の音量と、前記背景の音の音量と、前記背景の音のパターンとに基づいて、複数の前記報知部の中から前記所定の情報を報知する前記報知部を選択する
ことを特徴とする携帯端末装置。
【請求項３】
前記報知部毎に、当該報知部により前記所定の情報を報知させる際の前記前記人の声の音量、前記背景の音の音量および前記背景の音のパターンの条件を予め記憶した記憶部
をさらに備え、
前記選択部は、前記サンプリング手段による検出結果と、前記記憶部に記憶された前記条件とを比較することにより、複数の前記報知部の中から前記所定の情報を報知する前記報知部を選択する
ことを特徴とする請求項２記載の携帯端末装置。
【請求項４】
前記報知部は、音を出力するスピーカ部と、振動を発生させるバイブレータとから構成され、
前記選択部は、前記スピーカ部より音を出力させるか否か、および、前記バイブレータを振動させるか否かを選択する
ことを特徴とする請求項１乃至３の何れか１項に記載の携帯端末装置。
【請求項５】
他の装置と通話を実現する通信部をさらに備え、
前記選択部は、前記他の装置から着信が入ると、複数の前記報知部の中から前記所定の情報を報知する報知部を選択する
ことを特徴とする請求項１乃至４の何れか１項に記載の携帯端末装置。
【発明の詳細な説明】
【技術分野】
【０００１】
本発明は、ユーザに所定の情報を報知する機能を有する携帯端末装置に関するものである。
【背景技術】
【０００２】
携帯電話機など通信機能を持つ携帯端末装置を利用する場合、電車内や会議中など音を出すのがふさわしくない環境で着信音が鳴ってしまい、周囲へ迷惑となる場合がある。この対策として、現在の携帯端末装置には、着信時の着信音を停止したり、着信音の代わりにバイブレータを駆動させたりするマナーモードが設定されている。ところが、マナーモードの設定や解除はユーザに依存しているため、その設定や解除を忘れることによって着信に応答できないことを嫌ってあえてマナーモードを設定しない場合がある。
【０００３】
このため、例えば、マイクによって周囲の騒音の音圧を検出し、携帯端末装置の周囲が騒がしいときなど、音圧が基準値より大きい場合には着信音を鳴らせ、携帯端末装置の周囲が静かなときなど、音圧が基準値より小さい場合にはバイブレータを駆動させることが提案されている（例えば、特許文献１参照。）。
【０００４】
【特許文献１】特開平１０−３４１４６４号公報
【発明の開示】
【発明が解決しようとする課題】
【０００５】
しかしながら、特許文献１では、単に音圧だけで、着信音を鳴らすかバイブレータを駆動させるかを決めていたので、例えば、電車内など、騒がしくても着信音を鳴らしたくないような場所であっても、着信音が鳴動してしまうことがあった。
【０００６】
そこで、本発明は、より周囲の環境に配慮してユーザに所定の情報を報知することができる携帯端末装置を提供することを目的とする。
【課題を解決するための手段】
【０００７】
上述したような課題を解決するために、本発明に係る携帯端末装置は、周囲の音を検出するマイク部と、ユーザに所定の情報をそれぞれ異なる方法で報知する複数の報知部と、マイク部により検出された音から、人の声の音量と背景の音の音量を検出する検出部と、所定の信号が入力されると、検出部により検出された人の声の音量と背景の音の音量とに基づいて、複数の報知部の中から所定の情報を報知する報知部を選択する選択部とを備えたことを特徴とする。
【発明の効果】
【０００８】
本発明によれば、単なる周囲の音ではなく、人の声と背景の音量に基づいて、複数の報知部の中から所定の情報を報知する報知部を選択するので、音のより周囲の環境に配慮してユーザに所定の情報を報知することができる。
【発明を実施するための最良の形態】
【０００９】
以下、図面を参照して、本発明の実施の形態について詳細に説明する。
【００１０】
［第１の実施の形態］
まず、本発明の第１の実施の形態について説明する。
【００１１】
＜携帯端末装置の構成＞
図１に示すように、本実施の形態に係る携帯端末装置１は、この携帯端末装置１の周囲の音を検出するマイク部２と、ユーザに所定の情報を報知する報知部３ａ，３ｂと、マイク部２により検出された音から、人の声の音量と背景の音の音量を検出する検出部４と、所定の信号が入力されると、検出部４により検出された人の声の音量と背景の音の音量に基づいて、報知部３ａ，３ｂのどちらに所定の情報を報知させるかを選択する選択部５とから構成される。ここで、報知部３ａ，３ｂは、例えば振動したり音を鳴動させたりするなど、互いに異なる方法により所定の情報を放置する。
【００１２】
＜携帯端末装置の動作＞
まず、マイク部２は、所定時間間隔、または、連続して携帯端末装置１の周囲の音を検出する。このようなマイク部２による検出結果は、検出部４に入力される。この検出部４は、マイク部２による検出結果を人の声の音と背景の音と分離して、それぞれの音量を検出する。
【００１３】
外部から着信が入ったり、アラームなどのタイマーがセットした時間になったりするなど、所定の信号が入力されると、選択部５は、検出部４により検出された人の声の音量と背景の音の音量とに基づいて、報知部３ａ，３ｂの何れに所定の情報を報知させるかを選択する。一例として、報知部３ａはスピーカから音を出力し、報知部３ｂはバイブレータにより振動を与えることによって、着信が入ったことや所定の時間になったたことをユーザに報知する場合について説明する。
【００１４】
例えば、会議中など、人の声の音量はある程度あるものの、背景の音が小さい場合、選択部５は、報知部３ｂにより所定の情報を報知させる、すなわち、スピーカから音を出力させるのではなくバイブレータのみを駆動させる。これにより、周囲に迷惑になるのを防ぐことができる。また、電車の中など、人の声が小さいものの、背景の音が大きい場合にも、選択部５は、報知部３ｂにより所定の情報を報知させ、バイブレータによる振動を与える。これにより、電車内の人に迷惑をかけるのを防ぐことができる。また、街路など、人の声の音量も背景の音も大きい場合、選択部５は、報知部３ａにより所定の情報を報知させる、すなわち、スピーカから音を出力させる。これにより、ユーザに所定の情報を伝えることができる。なお、この場合には、報知部３ａ，３ｂの両方を駆動させるようにしてもよい。この場合には、より確実にユーザに所定の情報を伝えることができる。
【００１５】
このように、本実施の形態によれば、選択部５は、単なる周囲の音ではなく、人の声と背景の音量に基づいて、報知部３ａ，３ｂの何れに所定の情報を報知させるかを選択するので、より周囲の環境に配慮してユーザに所定の情報を報知することができる。
【００１６】
［第２の実施の形態］
次に、本発明の第２の実施の形態について説明する。
【００１７】
＜通信システムの構成＞
図２に示すように、本実施の形態に係る通信システムは、基地局１０と、この基地局１０を介して音声やデータの通信を行う携帯端末装置２０および外部装置３０とから構成されている。
【００１８】
≪基地局１０の構成≫
基地局１０は、公知の基地局から構成され、携帯端末装置２０と外部装置３０間の通信を制御する。
【００１９】
≪携帯端末装置２０の構成≫
携帯端末装置２０は、アンテナＡＴを介して基地局１０と音声やデータのやりとりを行う通信回路２１と、ＬＣＤ(Liquid Crystal Display)、有機ＥＬ(Electro Luminescence)、ＦＥＤ（Field Emission Display）などの公知の表示装置からなる表示装置２２と、テンキー、ジョグシャトル、キーボード等の公知の入力装置からなる入力装置２３と、駆動することにより振動するバイブレータ２４と、外部の音声を検出するマイク２５と、音声を出力するスピーカ２６と、携帯端末装置２０の動作を制御する制御部２７と、携帯端末装置２０の動作に必要な各種情報を記憶するメモリ２８とを備えている。
【００２０】
ここで、制御部２７は、ＣＰＵなどのマイクロプロセッサとその周辺回路からなり、メモリ２７に記憶された動作プログラム２８ｅを読み込んで実行することにより、上記ハードウェアと後述する動作プログラム２８ｅを協働させ、機能処理部２７ａ、サンプリング部２７ｂ、音量検出部２７ｃ、判定部２７ｄ、条件設定部２７ｅ、鳴動判断部２７ｆを実現させる。
【００２１】
機能処理部２７ａは、外部装置３０との間の音声やデータの通信を含む携帯端末装置２０の各種動作を実現する機能部である。
【００２２】
サンプリング部２７ｂは、所定時間間隔で、マイク２５により検出された携帯端末装置２０の周囲の音を、人の声の成分とこの声の背景（周囲）の音の成分とに分離する。この分離は、例えば、ＣＥＬＰ（Code Excited Linear Prediction coding、コード励起線形予測符号化）等の公知の技術を用いることにより行われる。
【００２３】
音量検出部２７ｃは、サンプリング部２７ｂによって分離された人の声の成分と周囲の音の成分の音量を検出する。
【００２４】
判定部２７ｄは、サンプリング部２７ｂによって分離された周囲の音の成分が、後述する背景音パターン２８ａに格納された何れのパターンに近似しているかを判定する。この判定したパターンは、音量検出部２７ｃで測定された声と背景の音量とともに、サンプリング音声解析情報２８ｂとしてメモリ２８に格納される。
【００２５】
条件設定部２７ｅは、着信があった場合に、着信音を鳴動か否か、バイブレータを駆動させるか否かなどその着信をユーザに知らせる着信鳴動動作に関する条件を設定する。この条件は、着信音鳴動条件２８ｃとしてメモリ２８に記憶される。
【００２６】
鳴動判断部２７ｆは、サンプリング音声解析情報２８ｂと着信音鳴動条件２８ｃとに基づいて、着信が入ったことユーザに知らせるために、着信音を鳴動させたりバイブレータ２４を駆動させたりしてユーザの注意を喚起する着信鳴動動作の内容を判断する。
【００２７】
また、メモリ２８には、背景音パターン２８ａと、上述したサンプリング音声解析情報２８ｂと、上述した着信音鳴動条件２８ｃと、通常着信音情報２８ｄと、動作プログラム２８ｅとが格納されている。
【００２８】
ここで、背景音パターン２８ａとは、電車、車内、会議室、繁華街など、携帯端末装置２０を使用するあらゆる環境における背景の音のサンプルであり、環境毎にパターン１〜ｍまで設けられている。このような背景音パターン２８ａは、例えば、それぞれの環境の背景の音を予め検出したものや、これを平均化したものなど、音量の波形から構成される。また、通常着信音情報２８ｄとは、通常の着信時の着信鳴動動作に関する情報である。また、動作プログラム２８ｅとは、上述した制御部２７の各機能部を実現するためのプログラムである。
【００２９】
≪外部装置３０の構成≫
外部装置３０は、基地局１０を介して携帯電話機２と音声やデータの通話を行うことができる、固定電話装置、携帯電話装置、ＰＨＳ(Personal Hady-phone System)、ＰＤＡ(Personal Digital Assistant)、ＰＣ(Personal Computer)などの通信装置から構成される。
【００３０】
＜通信システムの動作＞
次に、本実施の形態に係る通信システムの各動作について詳細に説明する。
【００３１】
≪サンプリング動作≫
まず、図３を参照して、制御部２７のサンプリング部２７ｂによるサンプリング動作について説明する。
【００３２】
まず、サンプリング部２７ｂは、時間ｔが経過すると（ステップＳ１：ＹＥＳ）、マイク２５により、携帯端末装置２０の周囲の音を検出する（ステップＳ２）。なお、機能処理部２７ａは、時間ｔが経過するタイミングで、ページング信号の有無を確認するようにしてもよい。
【００３３】
携帯端末装置２０の周囲の音を検出すると、サンプリング部２７ｂは、その音を声と背景の音に分解する（ステップＳ３）。
【００３４】
声と背景の音に分解されると、音量検出部２７ｃは、それぞれの音量を検出する（ステップＳ４）。
【００３５】
音量が検出されると、判定部２７ｄは、検出された背景の音と、背景音パターン２８ａに格納された各パターンとを比較し、何れのパターンがその背景の音に最も近似しているか判定する（ステップＳ５）。これにより、携帯端末装置２０がどの環境にあるかを検出することができる。
【００３６】
パターンが判定されると、判定部２７ｄは、音量検出部２７ｃにより検出された声およ背景の音量と、判定したパターンとからなる情報（以下、サンプリング情報という）を、メモリ２８のサンプリング音声解析情報２８ｂに格納する（ステップＳ６）。このサンプリング音声解析情報２８ｂには、例えば、図４に示すようにサンプリング情報が格納される。この図４において、「サンプリング１」と記述されたサンプリング情報は、声の音量の値が「３」、背景の音量の値が「２」、背景の音が類似しているパターンが「パターン５」であることを示している。
【００３７】
このようなサンプリング動作は、図５に示すように時間ｔ毎に行われる。これにより、メモリ２８のサンプリング音声解析情報２８ｂには、時間ｔが経過する毎にサンプリング情報が格納されるが、格納できるサンプリング情報の数量がｎ個に設定されている。このため、サンプリングを開始してサンプリング音声解析情報２８ｂにｎ個のサンプリング情報が格納されると、判定部２７ｄは、次に生成されたサンプリング情報を、最も古いサンプリング情報を消去したのちに、サンプリング音声解析情報２８ｂに格納する。これにより、サンプリング音声解析情報２８ｂには、直近のサンプリング情報のみが格納されることとなる。
【００３８】
≪着信音鳴動条件設定動作≫
次に、図６，図７を参照して、制御部２７の条件設定部２７ｅによる着信音鳴動条件設定動作について説明する。
【００３９】
条件設定部２７ｅは、携帯端末装置２０の使用開始時、電源投入時、設定変更要求時などに、着信鳴動動作の条件を示す着信音鳴動条件の設定を行う。この設定が要求されると、条件設定部２７ｅは、例えば図６に示すように、表示装置２２に着信音鳴動条件の各項目を表示させる。ユーザは、この表示に基づいて各項目を入力装置２３を介して設定する。その項目としては、図６に示すように、声の音量の条件に関する「声の音量」、背景の音の音量に関する「背景音量」、背景の音が背景音パターン２８ａの何れのパターンに近似するかを示す「近似パターン」、着信音を鳴動させるか否かに関する「着信音」、バイブレータ２４を駆動するか否かに関する「バイブレータ」等が設けられている。図６の場合、「声の音量」が２以下、「背景音量」が１以下、「近似パターン」がパターン３、「着信音」がＯＦＦ、「バイブレータ」がＯＮと設定されてる。これは、声の音量が２以下、背景の音量が１以下、かつ、背景の音がパターン３に近似している状況で着信があった場合に、着信音を鳴動させずにバイブレータだけを駆動させることを意味する。
【００４０】
このように各項目が設定されると、条件設定部２７ｅは、それらを１つの条件としてメモリ２８の着信鳴動条件２８ｃに格納する。その条件は、複数設定することができる。例えば、図７に示す着信鳴動条件２８ｃの場合、１〜ｏまでの条件が設定されている。これにより、携帯端末装置２０の周囲の様々な状況に応じて、着信鳴動動作を設定することができる。
【００４１】
≪着信鳴動動作≫
次に、図８を参照して、着信鳴動動作について説明する。
【００４２】
外部装置３０から基地局１０を介して携帯端末装置２０に着信が入ったことを通信回路２１が検出すると（ステップＳ１１）、制御部２７の鳴動判断部２７ｆは、メモリ２８のサンプリング音声解析情報２８ｂの中にサンプリング情報が１つ以上格納されているか否か確認する（ステップＳ１２）。
【００４３】
サンプリング情報が格納されていない場合（ステップＳ１２：ＮＯ）、鳴動判断部２７ｆは、メモリ２８の通常着信音情報２８ｄに格納された情報を、今回の着信の際の着信鳴動動作として設定する（ステップＳ２１）。
【００４４】
一方、サンプリング情報が１つ以上格納されている場合（ステップＳ１２：ＹＥＳ）、鳴動判断部２７ｆは、着信音鳴動条件２８ｃに条件が１つ以上格納されているか否か確認する（ステップＳ１３）。
【００４５】
着信音鳴動条件２８ｃに条件が格納されていない場合（ステップＳ１３：ＮＯ）、鳴動判断部２７ｆは、ステップＳ２１の処理に進み、通常着信音情報２８ｄを今回の着信の際の着信鳴動動作として設定する。
【００４６】
一方、着信音鳴動条件２８ｃに条件が１つ以上格納されている場合（ステップＳ１３：ＹＥＳ）、鳴動判断部２７ｆは、サンプリング音声解析情報２８ｂに格納されている各サンプリング情報の声および背景の音量の値を平均化し（ステップＳ１４，Ｓ１５）、サンプリング音声解析情報２８ｂに格納されているサンプリング情報に含まれる近似パターンのうち、最も多い近似パターンを抽出する（ステップＳ１６）。そして、着信鳴動条件２８ｃに含まれる条件の識別番号を表すｍを１とし（ステップＳ１７）、着信鳴動条件２８ｃの条件ｍに設定された声の音量、背景の音量およびパターンと、ステップＳ１４〜Ｓ１６で生成した声の平均値、背景の平均値および最頻パターンとが一致するか否か確認する（ステップＳ１８）。
【００４７】
一致した場合（ステップＳ１８：ＹＥＳ）、鳴動判断部２７ｆは、着信鳴動条件２８ｃに含まれる条件ｍを、今回の着信の着信鳴動動作として設定する（ステップＳ２３）。
【００４８】
一致しなかった場合（ステップＳ１８：ＮＯ）、鳴動判断部２７ｆは、次の条件との非比較を行うためにｍ＝ｍ＋１とし（ステップＳ１９）、次の条件が存在するか否かを確かめるために、着信鳴動条件２８ｃに含まれる条件の数量がｍより小さいか否か確認する（ステップＳ２０）。小さくない場合（ステップＳ２０：ＮＯ）、鳴動判断部２７ｆは、ステップＳ１８の処理に戻り、次の条件とステップＳ１４〜Ｓ１６で生成した値との比較を行う。一方、小さい場合（ステップＳ２０：ＹＥＳ）、鳴動判断部２７ｆは、ステップＳ２１の処理に進み、通常着信音情報２８ｄを今回の着信の際の着信鳴動動作として設定する。
【００４９】
今回の着信の際の着信鳴動動作が設定されると、機能処理部２７ａは、その設定に基づいて、着信鳴動動作を行う（ステップＳ２２）。
【００５０】
これにより、本実施の形態では、応答判断部２７ｄは、単なる周囲の音ではなく、人の声と背景の音量および背景のパターンに基づいて、バイブレータ２４の駆動およびスピーカ２６の鳴動を制御するので、より周囲の環境に配慮してユーザに所定の情報を報知することができる。
【００５１】
＜具体例＞
着信音鳴動条件２８ｃおよび通常着信音情報２８ｄの具体例について、図９を参照して説明する。
【００５２】
図９に示すメモリ２８の着信鳴動条件２８ｃには、条件１〜条件３という３つの条件が格納されている。これらの優先度は、条件１が最も高く、条件３が最も低く設定されている。したがって、条件１〜３について重複して条件が満たされた場合は、優先度の高い条件の設定で、着信鳴動動作が行われる。
【００５３】
声および背景の音量は、５段階に区分したり、その段階以上または以下と設定できるようにしたり、音量を問わない「条件無」と設定したりすることができる。これにより、携帯端末装置２０の周囲の状況により詳細に対応した着信鳴動動作を実現することができる。
【００５４】
また、近似パターンとしては、単なる識別番号ではなく、「条件無」、「電車」、「車」、「繁華街」といった具体的な名称を付与して設定されている。これにより、ユーザは、より容易に近似パターンを設定することができる。この設定に応じて、背景音パターン２８ａには、「近似パターン」の項目で選択可能なパターンが格納されていることとなる。
【００５５】
また、着信音量は、単なるＯＮ／ＯＦＦのみならず、「小」、「中」、「大」というように段階的に設定することができる。
【００５６】
通常着信音情報２８ｄとしては、着信音量のＯＮ／ＯＦＦとバイブレータのＯＮ／ＯＦＦを設定することができる。
【００５７】
このような着信音鳴動条件２８ｃおよび通常着信音情報２８ｄのより詳細な具体例について、図１０Ａ，図１０Ｂを参照して説明する。
【００５８】
まず、通常着信音情報２８ｄとしては、着信音量が「２」、バイブレータが「ＯＦＦ」と設定されている。
【００５９】
図１０Ａに示すメモリ２８の着信鳴動条件２８ｃには、条件１〜条件３が設定されているが、条件１は、室内での作業や会議中など、比較的静かな環境での着信を想定している。したがって、条件１では、「声の音量」および「背景音量」が２以下の場合に、着信音を鳴動させず、バイブレータだけを駆動させるように設定されている。一方、条件２は、外出中など比較的うるさい環境での着信を想定している。したがって、条件２では、「背景音量」が４以上の場合に、３の「着信音量」の着信音を鳴動させ、かつ、バイブレータを駆動させるように設定されている。これらの条件に基づき、鳴動判断部２７ｆは、図１０Ｂに示すように、声の音量が２以下でかつ背景音量が２以下の場合は条件１、背景音量が４以上の場合は条件２、条件１，２を満たさない場合は通常着信音情報２８ｄを適用することとなる。
【００６０】
また、他の具体例を図１１Ａ，図１１Ｂに示す。
【００６１】
まず、通常着信音情報２８ｄとしては、着信音量が「２」、バイブレータが「ＯＦＦ」と設定されている。
【００６２】
図１１Ａに示すメモリ２８の着信鳴動条件２８ｃには、条件１〜条件３が設定されているが、条件１は、授業中や図書館内など周囲がかなり静かな環境での着信を想定している。したがって、条件１では、「声の音量」が２以下、「背景音量」が１以下の場合には、着信音もバイブレータも駆動しないように設定している。条件２は、電車内での着信を想定している。したがって、条件２では、「背景音量」が４以上で、かつ、近似パターンが電車の場合に、着信音を鳴動させずバイブレータを駆動させるように設定されている。条件３は、さらに静かな環境で人の声がある環境を想定している。したがって、条件３では、「声の音量」が４以下でかつ「背景音量」が２以下の場合に、会話中を妨げないように、「着信音量」を１、バイブレータをＯＮとするように設定されている。これらの条件に基づき、鳴動判断部２７ｆは、図１１Ｂに示すように、声の音量が２以下でかつ背景音量が１以下の場合は条件１、声の音量および背景音量にかかわらず近似パターンが電車の場合には条件２、声の音量が４以下で背景音量が２以下の場合は条件３、条件１〜３を満たさない場合は通常着信音情報２８ｄを適用することとなる。
【００６３】
なお、鳴動判断部２７ｆは、サンプリング情報に基づいて、室内や室外などの周囲の空間を分析したり、一定宝庫か多方向かなどの声や背景の音の方向を検出したりするようにしてもよい。これにより、例えば、映画館や劇場内など所定の場所に存在することを自動的に検出し、自動的にマナーモードに移行するなど、より詳細な着信鳴動動作の制御を行うことができる。
【００６４】
また、背景音パターン２８ａについては、ユーザが任意にサンプリングし、パターンを追加できるようにしてもよい。これにより、より精度の高い着信鳴動動作を実現することができる。
【産業上の利用可能性】
【００６５】
本発明は、電話機やアラームなど、音を鳴動させたり、バイブレータを駆動させたりすることにより、着信や時間の到来をユーザに知らせる各種装置に適用することができる。
【図面の簡単な説明】
【００６６】
【図１】本発明の第１の実施の形態に係る携帯端末装置の構成を示すブロック図である。
【図２】本発明の第２の実施の形態に係る通信システムの構成を示すブロック図である。
【図３】サンプリング動作を示すフローチャートである。
【図４】サンプリング動作に関連するメモリ２８に格納されているデータ構成を示す図である。
【図５】サンプリング動作を説明するための図である。
【図６】着信鳴動条件設定動作の際の表示装置２２の一例である。
【図７】着信鳴動条件設定動作に関連するメモリ２８に格納されているデータ構成を示す図である。
【図８】着信鳴動動作を示すフローチャートである。
【図９】着信鳴動動作に関連するメモリ２８に格納されているデータ構成を示す図である。
【図１０Ａ】着信鳴動動作に関連するメモリ２８に格納されているデータ構成の一例を示す図である。
【図１０Ｂ】図１０Ａにおける各条件の声と背景の音量を示す図である。
【図１１Ａ】着信鳴動動作に関連するメモリ２８に格納されているデータ構成の一例を示す図である。
【図１１Ｂ】図１１Ａにおける各条件の声と背景の音量を示す図である。
【符号の説明】
【００６７】
１…携帯端末装置、２…マイク部、３ａ，３ｂ…報知部、４…検出部、５…選択部、１０…基地局、２０…携帯端末装置、２１…通信回路、２２…表示装置、２３…入力装置、２４…バイブレータ、２５…マイク、２６…スピーカ、２７…制御部、２７ａ…機能処理部、２７ｂ…サンプリング部、２７ｃ…音量検出部、２７ｄ…判定部、２７ｅ…条件設定部、２７ｆ…応答判断部、２８…メモリ、２８ａ…背景音パターン、２８ｂ…サンプリング音声解析情報、２８ｃ…着信鳴動条件、２８ｄ…通常着信音情報、２８ｅ…動作プログラム、３０…外部装置。
【図１】
2010124365.tif 000003
【図２】
2010124365.tif 000004
【図３】
2010124365.tif 000005
【図４】
2010124365.tif 000006
【図５】
2010124365.tif 000007
【図６】
2010124365.tif 000008
【図７】
2010124365.tif 000009
【図８】
2010124365.tif 000010
【図９】
2010124365.tif 000011
【図１０Ａ】
2010124365.tif 000012
【図１０Ｂ】
2010124365.tif 000013
【図１１Ａ】
2010124365.tif 000014
【図１１Ｂ】
2010124365.tif 000015